(57)【要約】【課題】  汎用性の高い副監視制御装置及び監視制御システムを提供する。【解決手段】  副監視制御装置４に、通信線Ｌ２で相互に接続された各主監視制御装置３との間で、共通プロトコルに従ってデータの通信を行うための通信Ｉ／Ｆ部１３を備えた。これにより、通信線Ｌ２で接続された各主監視制御装置３が管理する全ての監視制御対象設備２が、副監視制御装置４の制御等の対象となり得ることとなり、副監視制御装置４に通信可能に接続された主監視制御装置３が管理する監視制御対象設備２だけが当該副監視制御装置４の制御等の対象であった従来の構成に比して、制御等の対象となる監視制御対象設備２の数を大幅に増やした。【選択図】      図３
2005159909.tif 000002
【特許請求の範囲】
【請求項１】
監視制御対象設備の動作の制御及び状態の監視を行う複数の主監視制御装置が所定のプロトコルにより相互に通信可能に接続されてなる監視制御システムに備えられ、前記監視制御対象設備の動作の制御及び状態の監視を行う副監視制御装置であって、
前記所定のプロトコルに従って前記各主監視制御装置と通信可能な通信インターフェース部を備えていることを特徴とする副監視制御装置。
【請求項２】
前記監視制御システム内に他の副監視制御装置が前記所定のプロトコルに従って通信可能に接続されている場合に、前記他の副監視制御装置が制御及び監視を行う対象の監視制御対象設備に関する情報を前記他の副監視制御装置から取得する指示を入力するための第１の入力操作部を備え、前記第１の入力操作部により前記指示が入力されると前記情報を取得して、その取得した情報に対応する監視制御対象設備の動作の制御及び状態の監視を行うことを特徴とする請求項１に記載の副監視制御装置。
【請求項３】
前記監視制御対象設備の状態を示す信号をポーリング方式により前記監視制御対象設備から一定の周期で取得することを特徴とする請求項１または２に記載の副監視制御装置。
【請求項４】
前記監視制御対象設備の状態を表示可能な状態表示部が該監視制御対象設備に対応して備えられており、所定のトリガにより、状態を表示させる対象の状態表示部が変更可能とされていることを特徴とする請求項１ないし３のいずれかに記載の副監視制御装置。
【請求項５】
前記監視制御対象設備の動作を指示する入力操作を行うための第２の入力操作部が監視制御対象設備に対応して備えられているとともに、人間を識別するための識別情報を入力する入力部と、前記識別情報と入力操作が可能な第２の入力操作部とを対応させて記憶する記憶部と、前記第２の入力操作部で入力された識別情報と前記記憶部に記憶された識別情報との照合判定を行う照合判定部とを有し、前記第２の入力操作部で入力された識別情報が前記記憶部に記憶されているとき、その識別情報に対応する第２の入力操作部による入力操作のみを受け付けることを特徴とする請求項１ないし４のいずれかに記載の副監視制御装置。
【請求項６】
所定のプロトコルにより相互に通信可能に接続され、監視制御対象設備の動作の制御及び状態の監視を行う複数の主監視制御装置と、
前記各主監視制御装置と前記所定のプロトコルに従って通信可能な通信インターフェース部を有し、前記通信インターフェース部を介して前記監視制御対象設備の動作の制御及び状態の監視を行う副監視制御装置とを備えてなる監視制御システム。
【発明の詳細な説明】
【技術分野】
【０００１】
本発明は、照明設備や空調設備等の監視制御対象設備の状態の監視や動作の制御を行う監視制御システムの技術分野に属し、特に、主監視制御装置とは別に、監視制御対象設備の状態の監視や動作の制御を行うことのできる副監視制御装置及び該副監視制御装置を備える監視制御システムに関する。
【背景技術】
【０００２】
従来、例えばビル等に設置される照明設備及び空調設備等における動作の制御や状態の監視を遠隔的に行う監視制御システムが知られている（例えば下記特許文献１参照）。
【０００３】
図７に示すように、下記特許文献１に開示されている監視制御システム１００は、照明設備や空調設備等の監視制御対象設備１０１（同図中では「設備」と略記している）と、監視制御対象設備１０１の動作の制御や状態の監視を行う主監視制御装置１０２及び副監視制御装置１０３とを備えている。主監視制御装置１０２は、監視制御対象設備１０１との間で通信線１０７を介して通信を行うための負荷管理点インターフェース（負荷管理点Ｉ／Ｆ）１０４と、副監視制御装置１０３との間で通信線１０８を介して通信を行うための副操作系通信インターフェース（副操作系通信Ｉ／Ｆ）１０５とを備え、副監視制御装置１０３は、主監視制御装置１０２との間で通信を行うための通信インターフェース（通信Ｉ／Ｆ）１０６を備える。そして、主監視制御装置１０２で監視制御対象設備１０１の動作の制御や状態の監視を行う場合には、主監視制御装置１０２内で生成された制御信号や監視信号、または監視制御対象設備１０１で生成された制御結果信号や状態信号を前記負荷管理点Ｉ／Ｆ１０４を介して授受する。また、副監視制御装置１０３で監視制御対象設備１０１の動作の制御や状態の監視を行う場合には、副監視制御装置１０３内で生成された制御信号や監視信号、または監視制御対象設備１０１で生成された制御結果信号や状態信号を、主監視制御装置１０２を介して、すなわち各プロトコルに従い前記負荷管理点Ｉ／Ｆ１０４や副操作系通信Ｉ／Ｆ１０５でフォーマットの変換等の処理を行った上で授受する。
【特許文献１】特開平１０−６６１５９号公報
【発明の開示】
【発明が解決しようとする課題】
【０００４】
ところで、従来では、主監視制御装置１０２と副監視制御装置１０３との間で行われる通信のプロトコルと、監視制御対象設備１０１と主監視制御装置１０２との間で行われる通信のプロトコルとは異なるため、副監視制御装置１０３で監視制御対象設備１０１の動作の制御や状態の監視を行うためには、主監視制御装置１０１におけるフォーマット変換等の処理が必要であることから、副監視制御装置１０３は主監視制御装置１０１があって始めて監視制御対象設備１０１の動作の制御等を行うことが可能であった。
【０００５】
したがって、当該監視制御システム１００とは別に構成された他の監視制御システム１００の監視制御対象設備１０１の動作の制御等を当該副監視制御装置１０３によって行おうとして、各監視制御システム１００における各主監視制御装置１０２同士を単に通信可能に接続したとしても、前記他の監視制御システム１００における主監視制御装置１０２と副監視制御装置１０３との間の通信が、前記当該監視制御システム１００のものとは異なるプロトコルで行われている以上、当該副監視制御装置１０３によって前記他の監視制御システム１００における監視制御対象設備１０１の動作の制御等を行うことはできなかった。換言すれば、副監視制御装置１０３と接続された主監視制御装置１０２が管理する監視制御対象設備１０１しか該副監視制御装置１０３による制御等の対象になり得ず、副監視制御装置１０３による制御等が可能な監視制御対象設備１０１が限定されていた。
【０００６】
また、通常、副操作系通信Ｉ／Ｆ１０５の通信プロトコルは、主監視制御装置１０２を製造するメーカごとに異なるため、副監視制御装置１０３は主監視制御装置１０２とセットであり、汎用性に欠けていた。
【０００７】
本発明は、このような事情に鑑みてなされたものであり、汎用性の高い副監視制御装置及び監視制御システムを提供することを目的とする。
【課題を解決するための手段】
【０００８】
近年では、この種の監視制御システム１００においては、各主監視制御装置１０２同士を通信可能に接続し、且つ所定のプロトコルによって各主監視制御装置１０２間で通信を行うとともに、監視制御対象設備１０１もこのプロトコルに対応させる技術が一般化しつつある。したがって、副監視制御装置１０３も主監視制御装置１０２との間でこのようなプロトコルに従って通信を行うように構成すれば、他の監視制御システム１００による制御等の対象であった監視制御対象設備１０１についても当該副監視制御装置１０２で監視や制御を行うことが可能となり、副監視制御装置１０２の汎用性が向上するものと考えられる。
【０００９】
そこで、上述の目的を達成するために、本発明の第１の手段に係る副監視制御装置は、監視制御対象設備の動作の制御及び状態の監視を行う複数の主監視制御装置が所定のプロトコルにより相互に通信可能に接続されてなる監視制御システムに備えられ、前記監視制御対象設備の動作の制御及び状態の監視を行う副監視制御装置であって、前記所定のプロトコルに従って前記各主監視制御装置と通信可能な通信インターフェース部を備えている。
【００１０】
さらに、上述の副監視制御装置において、前記監視制御システム内に他の副監視制御装置が前記所定のプロトコルに従って通信可能に接続されている場合に、前記他の副監視制御装置が制御及び監視を行う対象の監視制御対象設備に関する情報を前記他の副監視制御装置から取得する指示を入力するための第１の入力操作部を備え、前記第１の入力操作部により前記指示が入力されると前記情報を取得して、その取得した情報に対応する監視制御対象設備の動作の制御及び状態の監視を行う。
【００１１】
さらに、上述の副監視制御装置において、前記監視制御対象設備の状態を示す信号をポーリング方式により前記監視制御対象設備から一定の周期で取得する。
【００１２】
さらに、上述の副監視制御装置において、前記監視制御対象設備の状態を表示可能な状態表示部が該監視制御対象設備に対応して備えられており、所定のトリガにより、状態を表示させる対象の状態表示部が変更可能とされている。
【００１３】
さらに、上述の副監視制御装置において、前記監視制御対象設備の動作を指示する入力操作を行うための第２の入力操作部が監視制御対象設備に対応して備えられているとともに、人間を識別するための識別情報を入力する入力部と、前記識別情報と入力操作が可能な第２の入力操作部とを対応させて記憶する記憶部と、前記第２の入力操作部で入力された識別情報と前記記憶部に記憶された識別情報との照合判定を行う照合判定部とを有し、前記第２の入力操作部で入力された識別情報が前記記憶部に記憶されているとき、その識別情報に対応する第２の入力操作部による入力操作のみを受け付ける。
【００１４】
また、本発明の第２の手段に係る監視制御システムは、所定のプロトコルにより相互に通信可能に接続され、監視制御対象設備の動作の制御及び状態の監視を行う複数の主監視制御装置と、前記各主監視制御装置と前記所定のプロトコルに従って通信可能な通信インターフェース部を有し、前記通信インターフェース部を介して前記監視制御対象設備の動作の制御及び状態の監視を行う副監視制御装置とを備えてなる。
【発明の効果】
【００１５】
本発明によれば、副監視制御装置を、複数の主監視制御装置が相互に通信を行う際に従うプロトコルで前記各主監視制御装置と通信可能に構成したので、副監視制御装置により、相互に通信可能に接続された各主監視制御装置が動作の制御や状態の監視を行う全ての監視制御対象設備について動作の制御等を行うことが可能となる。
【発明を実施するための最良の形態】
【００１６】
以下、本発明に係る副監視制御装置を備えた監視制御システムの第１の実施形態を図面に基づいて説明する。図１は、監視制御システム１の構成を示す図である。
【００１７】
図１に示すように、監視制御システム１は、例えばビル等に設置される複数の監視制御対象設備（図１では「設備」と略記している）２と、監視制御対象設備２の動作の制御や状態の監視、並びに監視制御対象設備２や後述の副監視制御装置４に関する各種情報の収集及び管理を行う複数の主監視制御装置３（３ａ，３ｂ）と、主監視制御装置３と同じく監視制御対象設備２の動作の制御や状態の監視を行う副監視制御装置４（４ａ，４ｂ）とを備えてなり、監視制御対象設備２と主監視制御装置３とは所定の通信線Ｌ１（例えば、１０ＢＡＳＥ−Ｔ等の信号線等）を介し、また、主監視制御装置３と副監視制御装置４とは所定の通信線Ｌ２（例えば公衆電話回線や専用線）を介してそれぞれ通信可能に接続されている。なお、主監視制御装置３と副監視制御装置４とは、ローカルなネットワークを構成してもよいし、グローバルなネットワークを構成してもよい。本実施形態では、副監視制御装置４が、各主監視制御装置３間で行われる通信のプロトコル（以下、共通プロトコルという）に従って通信を行うように構成しているところに特徴を有している。この点については後述する。
【００１８】
なお、図１においては、主監視制御装置３ａ及び副監視制御装置４ａによる動作の制御等の対象は監視制御対象設備２ａであり、主監視制御装置３ｂ及び副監視制御装置４ｂによる動作の制御等の対象は監視制御対象設備２ｂであるものとする。また、以下の説明においては、監視制御対象設備２の動作の制御や状態の監視を、監視制御対象設備２の管理というものとする。
【００１９】
監視制御対象設備２は、例えば照明設備、煙感知器等からなる防災設備、冷暖房等の空調設備、ブラインド設備、又はインターホン等からなるセキュリティ設備等であり、前記共通プロトコルに従って通信を行うように構成されている。
【００２０】
主監視制御装置３は、例えば防災センター等に設置され、通信線Ｌ１により当該主監視制御装置３に接続されている全ての監視制御対象設備２の管理を行う。また、主監視制御装置３は、前記共通プロトコルに従い、前記通信線Ｌ２を介して他の主監視制御装置３に通信線Ｌ１で通信可能に接続された監視制御対象設備２の管理も行う。
【００２１】
副監視制御装置４は、例えば防災センターや宿直室等に設置され、当該副監視制御装置４に対応する主監視制御装置３による管理の対象とされる監視制御対象設備２のうち一部の監視制御対象設備２、例えば使用頻度の高い監視制御対象設備２など、特に管理が必要な監視制御対象設備２の管理を行うものであり、主監視制御装置３に備えられる後述の表示装置７（図２参照）を用いた所定の操作と略同じ操作で各種の処理を実行する機能を備えている。
【００２２】
図２は、主監視制御装置３の構成を示すブロック図である。図２に示すように、主監視制御装置３は、制御部５と、通信Ｉ／Ｆ部６と、表示装置７とを備える。
【００２３】
制御部５は、例えば制御プログラムを記憶するＲＯＭや一時的にデータを記憶するＲＡＭ等が内蔵されたマイクロコンピュータからなり、機能的に、状態監視／動作制御部８と、表示制御部９と、タッチパネル制御部１０と、データ記憶部１１とを備える。
【００２４】
状態監視／動作制御部８は、管理対象の監視制御対象設備２の状態を表示装置７に表示したり、表示装置７の操作窓（図示せず）に備えられたタッチパネルが押下されたとき、その操作窓に対応する監視制御対象設備２の動作を制御したりするために、監視制御対象設備２に出力する監視信号（状態要求信号）や制御信号を生成するものである。表示制御部９は、タッチパネルを搭載する表示装置７に対する表示データ出力制御を行うものであり、タッチパネル制御部１０は、表示装置７から送信されるタッチパネル押下・開放イベントをタッチパネル入力信号の座標アドレスデータに変換したり、タッチパネル入力信号の座標アドレスデータをアプリケーションでの画面表示分解能に変換したりするものである。データ記憶部１１は、状態監視／動作制御部８の処理情報を記憶するものである。
【００２５】
通信Ｉ／Ｆ部６は、前述の共通プロトコルに従って、監視制御対象設備２及び副監視制御装置４との間で各種データの通信を行うための通信インターフェースである。前記共通プロトコルの一例として、例えばBACnet（a data communication protocol for Building Automation and Control networks、登録商標）があり、このプロトコルは、米国で規格化されたビルオートメーションシステム用プロトコルである。なお、採用可能な共通プロトコルは、このBACnetに限られない。また、特許請求の範囲における所定のプロトコルは、この共通プロトコルに対応する。
【００２６】
表示装置７は、複数のタッチパネルを備え、例えば階層的に構成された複数の操作画面が表示され、各操作画面には、押釦等のオブジェクト（画面釦）が表示されるように構成されている。操作画面上のオブジェクトの位置を操作者が押下することによって、そのオブジェクトに対する操作がなされた（押下イベントが発生した）ことを、各オブジェクトに対応したタッチパネルで検出できるように構成されており、この構成を用いて、各オブジェクトに、所定の処理内容を関連付けておき、それが操作された場合にその処理内容を実行するように構成されている。これにより、主監視制御装置３において表示装置７に表示される操作画面を用いた各種の操作が可能となっている。
【００２７】
図３は、副監視制御装置４の構成を示すブロック図である。副監視制御装置４は、制御部１２と、通信Ｉ／Ｆ部１３と、表示装置１４とを備える。なお、説明の都合上、表示装置１４の説明から行う。
【００２８】
表示装置１４は、例えば４行×５列のマトリックス状に配置された略長方形状の操作窓１９が設けられており、各操作窓１９には、管理対象の監視制御対象設備２の状態を表示する状態表示ＬＥＤ（light emitting diode）２０と、例えば「１階事務所  照明」とか「３階セキュリティ設備実行ボタン」などの操作窓１９に割り付けられる機能等を示す文字を表示する窓名称表示ＬＣＤ（Liquid Crystal Display）２１とが左右に並んで設けられている。なお、本実施形態では、監視制御対象設備２が例えば照明設備の場合には、その照明設備がオンの状態であるとき全ての状態表示ＬＥＤ２０が点灯し、前記照明設備がオフの状態であるとき全ての状態表示ＬＥＤ２０が消灯する。また、マトリックス状に配置された操作窓１９の表面は、透明な図略のタッチパネルに覆われており、各操作窓１９の略長方形状の枠２２内の部分が押下されたことを、個々の操作窓１９に対応したタッチパネルで検出可能に構成されている。
【００２９】
制御部１２は、例えば制御プログラムを記憶するＲＯＭや一時的にデータを記憶するＲＡＭ等が内蔵されたマイクロコンピュータからなり、機能的に、状態監視／動作制御部１５と、表示制御部１６と、タッチパネル制御部１７と、記憶部１８とを備える。
【００３０】
状態監視／動作制御部１５は、管理対象の監視制御対象設備２の状態を表示装置１４に表示したり、表示装置１４の操作窓（図示せず）に備えられたタッチパネルが押下されたときその操作窓に対応する監視制御対象設備２の動作を制御したりするために、監視制御対象設備２に出力する監視信号（状態要求信号）や制御信号を生成するものである。この監視信号及び制御信号の構成については後述する。表示制御部１６は、タッチパネルが搭載された表示装置１４に対する表示データ出力制御を行うものであり、後述の表示パターン記憶部２４から操作窓１９の窓名称表示ＬＣＤ２１に表示する監視制御対象設備２の名称を読み出して表示させる。
【００３１】
また、本実施形態では、監視制御対象設備２に何らかの異常が発生し、当該副監視制御装置４により監視制御対象設備２を管理する人間に報知すべく、状態表示ＬＥＤ２０の表示状態を異常が発生する前の表示状態と異ならせるようにしている。図４は、監視制御対象設備２に異常が発生したときの副監視制御装置４の操作窓１９の表示態様を示す図である。
【００３２】
本実施形態では、副監視制御装置４において例えば或る監視制御状態で各操作窓１９（状態表示ＬＥＤ２０）が図４（ａ）に示すように発光（白部分が発光）していたものとした場合に、監視制御対象設備２に異常が発生すると、例えば図４（ｂ）〜（ｅ）に示すように、全ての状態表示ＬＥＤ２０を同時に点滅させる。表示制御部１６は、表示パターン記憶部２４からこのような状態表示ＬＥＤ２０の発光パターンを読み出し、この発光パターンで操作窓１９を点滅する制御も行う。
【００３３】
タッチパネル制御部１７は、表示装置１４から送信されるタッチパネル押下・開放イベントをタッチパネル入力信号の座標アドレスデータに変換したり、タッチパネル入力信号の座標アドレスデータをアプリケーションでの画面表示分解能に変換したりするものである。
【００３４】
記憶部１８は、ポイントデータ記憶部２３と、表示パターン記憶部２４と、副監視制御装置データ記憶部２５とを有する。ポイントデータ記憶部２３は、本監視制御システム１における全ての監視制御対象設備２の通信ネットワーク上におけるアドレスと、それらの監視制御対象設備２の種類（照明設備とか空調設備等）を示す名称と、各監視制御対象設備２の状態（例えば照明設備ではオン／オフ）とを対応付けて記憶するものである。
【００３５】
表示パターン記憶部２４は、操作窓１９と該操作窓１９の窓名称表示ＬＣＤ２１に表示する監視制御対象設備２の名称とを対応付けて記憶するものである。また、表示パターン記憶部２４は、前述した状態表示ＬＥＤ２０の発光パターンも記憶する。
【００３６】
副監視制御装置データ記憶部２５は、ポイントデータ記憶部２３に記憶されているデータのうち、当該副監視制御装置４が現時点で管理する対象の監視制御対象設備２と操作窓１９とを対応付けて記憶するものである。本実施形態では、副監視制御装置４（ここでは副監視制御装置４ａとする）における所定の操作窓１９が操作されると、副監視制御装置４における副監視制御装置データ記憶部２５内の情報が消去され、新たに、ポイントデータ記憶部２３から他の副監視制御装置４（例えば副監視制御装置４ｂ）が管理する監視制御対象設備２（２ｂ）の情報が読み出され、その情報と操作窓１９とが対応付けられて記憶される。これにより、副監視制御装置４（４ａ）は、管理対象を他の副監視制御装置４（４ｂ）の管理対象に変更することができる。
【００３７】
通信Ｉ／Ｆ部１３は、通信線Ｌ２で接続された主監視制御装置３及び他の副監視制御装置４（図１において当該副監視制御装置が装置４ａとすると、他の副監視制御装置は装置４ｂ）との間で、前述の共通プロトコルに従ってデータの通信を行うためのインターフェースである。
【００３８】
以上のような構成を備える主監視制御装置３と副監視制御装置４との間では、副監視制御装置４が操作された場合に次のような通信処理が行われる。図５（ａ）は、監視制御対象設備２、主監視制御装置３及び副監視制御装置４との間で行われる通信のシーケンスを示す図、図５（ｂ）は、副監視制御装置４による通信処理のシーケンスを示す図、図５（ｃ），（ｄ）は、その通信により授受される信号のフォーマットを示す図である。
【００３９】
図５（ａ）に示すように、副監視制御装置４の或る操作窓１９が押下されると、副監視制御装置４の状態監視／動作制御部１５は操作窓１９が押下された旨の信号（制御信号または監視信号）を生成し、通信線Ｌ２で接続された全ての主監視制御装置３に送出する。
【００４０】
このとき副監視制御装置４から送出されるデータは、図５（ｃ）に示すように、ヘッダ部２６と、操作種別部２７と、対象管理点ＩＤ部２８と、操作データ部２９とを有する。ヘッダ部２６は、発信元（当該副監視制御装置４）の名称等のヘッダ情報が書き込まれる部分であり、操作種別部２７は、操作窓１９に対する操作が監視制御対象設備２の動作の制御を要求するものであるか状態の監視を要求するものであるかを示す信号が書き込まれる部分であり、対象管理点ＩＤ部２８は、発信先の監視制御対象設備２に予め割り付けられたＩＤが書き込まれる部分であり、操作データ部２９は、監視制御対象設備２が例えば照明設備である場合にはオン／オフのように制御内容が書き込まれる部分である。なお、図５（ｃ）における空欄の部分はリザーブである。
【００４１】
ここで、監視制御対象設備２、主監視制御装置３及び副監視制御装置４は、共通プロトコルに基づいて通信を行うので、主監視制御装置３は、この信号に対してフォーマット変換等の処理を施すことなく、該信号を該主監視制御装置３に通信線Ｌ１で接続された全ての監視制御対象設備２に送出する。
【００４２】
対象管理点ＩＤ部２８に書き込まれたＩＤに対応する監視制御対象設備２は、この制御信号又は監視信号が自分宛のものであると認識すると、操作データ部２９に書き込まれた制御内容等に基づいて所定の動作や処理を行い、その後、当該監視制御対象設備２と通信線Ｌ１で接続されている主監視制御装置３に制御結果信号あるいは状態信号を送出する。
【００４３】
このとき、監視制御対象設備２から送出されるデータは、図５（ｄ）に示すように、ヘッダ部３０と、操作種別部３１と、対象管理点ＩＤ部３２と、返信データ部３３とを有する。ヘッダ部３０、操作種別部３１及び対象管理点ＩＤ部３２は、図５（ｃ）と略同様の内容が書き込まれる部分であり、返信データ部３３は、監視制御対象設備２の制御結果や状態が書き込まれる部分である。
【００４４】
ここで、前述したように、監視制御対象設備２、主監視制御装置３及び副監視制御装置４は、共通プロトコルに基づいて通信を行うので、主監視制御装置３は、この信号に対してフォーマット変換等の処理を施すことなく、該信号を当該主監視制御装置３に通信線Ｌ２で接続された全ての副監視制御装置４に送出する。
【００４５】
副監視制御装置４は、この制御結果信号又は状態信号が自分宛のものであると認識すると、返信データ部３３に書き込まれている返信データに基づいて所定の処理を行う。例えば監視制御対象設備２としての或る照明設備がオンした旨の制御結果信号を受け取ると、ポイントデータ記憶部２３の記憶内容を書き換えると共に、そのデータの対象管理点ＩＤ部２８に書き込まれている前記照明設備に対応する操作窓１９の状態表示ＬＥＤ２０の点灯等を行う。
【００４６】
副監視制御装置４による通信処理のシーケンスについてまとめると、図５（ｂ）に示すように、或る操作窓１９が操作されると（ステップ♯１でＹＥＳ）、図５（ｃ）に示すフォーマットで制御信号あるいは監視信号を生成し、この信号を主監視制御装置３に送出する（ステップ♯２）。
【００４７】
そして、主監視制御装置３から制御結果信号または状態信号が受け取るまで待機し（ステップ♯３でＮＯ）、前記制御結果信号または状態信号を受け取ると（ステップ♯３でＹＥＳ）、その信号に従って所定の処理（ポイントデータ記憶部２３の記憶内容を書き換え処理等）を行う（ステップ♯４）。なお、副監視制御装置４による監視制御対象設備２の状態の監視は、ポーリング方式により前記ステップ♯２〜♯４の処理が所定の周期（例えば１分間隔）で行われる。
【００４８】
以上のように、副監視制御装置４が、各主監視制御装置３間で行われる通信の共通プロトコルに従って主監視制御装置３と通信を行うように構成したので、通信線Ｌ２で接続された各主監視制御装置３が管理する全ての監視制御対象設備２が、副監視制御装置４の制御等の対象となり得ることとなり、副監視制御装置４に通信可能に接続された主監視制御装置３が管理する監視制御対象設備２だけが当該副監視制御装置４の制御等の対象であった従来の構成に比して、制御等の対象となる監視制御対象設備２の数を大幅に増やすことができる。
【００４９】
また、監視制御対象設備２も前記共通プロトコルで通信を行うようにすることで、副監視制御装置４で監視制御対象設備２の動作の制御や状態の監視を行う場合に、主監視制御装置３により副監視制御装置４や監視制御対象設備２から送出される信号のフォーマット変換等の処理を施す必要がなくなる。
【００５０】
また、当該監視制御システム１に新たに前記共通プロトコルによる通信を行う副監視制御装置４が増設された場合にも、この増設された副監視制御装置４が、本監視制御システム１における既存の副監視制御装置４から監視制御対象設備２に関する情報（ポイントデータ記憶部２３の記憶内容）を取得することができ、その結果、増設する副監視制御装置４を通信線Ｌ２に接続する前に、該副監視制御装置４に予め監視制御対象設備２に関するデータを記憶させておかなくても、その副監視制御装置４を通信線Ｌ２に接続した後に前記情報を取得することで、監視制御対象設備２の動作の制御や状態の監視を行うことができる。この場合、増設する副監視制御装置４の所定の操作窓１９に、既存の副監視制御装置４から監視制御対象設備２に関するデータを取得する機能を割り付けておけばよい。
【００５１】
なお、本発明は、前記第１の実施形態に加えて、あるいは第１の実施形態に代えて次の形態（１）〜（６）も採用可能である。
【００５２】
（１）副監視制御装置４に、例えばメモリカード等の記録媒体が着脱可能なカードスロットを備え、監視制御対象設備２に関する情報等を記録した記録媒体からその情報を取得するようにしても、主監視制御装置３を介すことなく他の副監視制御装置４で管理していた監視制御対象設備２の管理を行うことができる。
【００５３】
（２）前記第１の実施形態では、副監視制御装置４（ポイントデータ記憶部２３）に本監視制御システム１における全ての監視制御対象設備２に関する情報を格納するようにしたが、これに限らず、副監視制御装置４が、各主監視制御装置３間で行われる通信の共通プロトコルに従って主監視制御装置３と通信を行うように構成したことで、次のような構成も採用できる。
【００５４】
すなわち、ポイントデータ記憶部２３には、現時点で管理する監視制御対象設備２に関する情報のみを記憶しておき、他の副監視制御装置４の管理対象の監視制御対象設備２を当該副監視制御装置４で管理する場合には、例えばデータ授受機能が付与された操作窓１９を所定時間押下するなどの所定のトリガ操作により、前記他の副監視制御装置４との間で、自らの管理対象である監視制御対象設備２に関する情報と前記他の副監視制御装置４の管理対象である監視制御対象設備２に関する情報とを交換し、各々の副監視制御装置４においてポイントデータ記憶部２３の記憶内容を取得した情報に書き換えるようにするとよい。この場合、副監視制御装置４は、所定のトリガ操作が行われると、前記他の副監視制御装置４にその情報を要求する旨の信号を出力し、前記他の副監視制御装置４から前記情報を取得してポイントデータ記憶部２３に書き込む情報取得部（図示せず）と、相手側の副監視制御装置４に与える現時点における自らの管理対象に関する情報をポイントデータ記憶部２３から読み出して、該情報を前記他の副監視制御装置４に出力する情報出力部（図示せず）とを備えるとよい。
【００５５】
この構成によれば、副監視制御装置４は、管理対象を前記他の副監視制御装置４の管理対象に容易に変更することができるとともに、ポイントデータ記憶部２３に記憶する情報が、自らが管理する監視制御対象設備２に関する情報だけでよいから、記憶部１８の記憶容量が前記第１の実施形態に比して小さいもので済む。
【００５６】
（３）或る操作窓１９に対して例えば一定時間押下され続けるというような所定の操作を行うことで、管理対象の監視制御対象設備２の管理を停止するようにしてもよいし、あるいは、不用意な操作窓１９の操作を防止すべく、或る操作窓１９に対する所定の操作により、操作窓１９に対する操作を受け付けないロックモードとそれを解除する解除モードとの間でモードの切換えを行えるようにしてもよい。
【００５７】
（４）防災センターや宿直室で管理する人間（管理者）に応じて、副監視制御装置４において管理できる監視制御対象設備２の範囲、すなわち操作窓１９を操作できる範囲や、操作窓１９に割り付けられた機能等を示す文字を表示する窓名称表示ＬＣＤ２１を設定したり制限したりするようにしてもよい。
【００５８】
この場合、図３の点線で示すように、例えば人間の指紋や虹彩等の生態情報やＩＤ番号など人間を識別するための識別情報を入力する入力部３４と、識別情報と操作可能な操作窓１９とをテーブル形式で記憶する人データ記憶部３５と、入力部３４で入力された識別情報と人データ記憶部３５に記憶された識別情報との照合判定を行う照合判定部３６とを備えた認証装置３７を副監視制御装置４に搭載し、この認証装置３７により読み取った識別情報が人データ記憶部３５に登録されている場合に、その識別情報に対応する操作窓１９のみ操作可能にしたり（換言すればその操作窓１９以外の操作窓１９の操作を禁止したり）、その識別情報に対応する操作窓１９の窓名称表示ＬＣＤ２１にのみ機能等を示す文字を表示したりするとよい。なお、副監視制御装置４の記憶部１８に前記識別情報を記憶し、前記識別情報の照合判定を制御部１２で実行するようにしてもよい。
【００５９】
また、例えば時刻に応じて、副監視制御装置４において管理できる監視制御対象設備２の範囲、すなわち操作窓１９を操作できる範囲や操作窓１９の表示パターンを自動的に変えるようにしてもよい。
【００６０】
このように、操作窓１９を操作できる範囲や操作窓１９の表示パターンの設定や制限は、手動で行うようにしてもよいし自動的に行うようにしてもよい。なお、特許請求の範囲における所定のトリガは、例えば、前述のように、識別情報が入力され、その識別情報が人データ記憶部３５に登録されていることが判明したときや、前記時刻になったときに対応する。
【００６１】
（５）監視制御対象設備２に何らかの異常が発生し、当該副監視制御装置４により監視制御対象設備２を管理する人間に報知すべく、状態表示ＬＥＤ２０の表示状態を異常が発生する前の表示状態と異ならせる形態は前述のものに限られない。
【００６２】
例えば、副監視制御装置４において例えば或る監視制御状態で各操作窓１９が図４（ａ）に示すように発光（白部分が発光）していたものとした場合に、監視制御対象設備２に異常が発生すると、異常が発生する前の発光状態（図４（ａ）と同じ発光状態）と、全ての状態表示ＬＥＤ２０を消灯させた状態とを時間的に交互に生成するようにしてもよい。
【００６３】
また、副監視制御装置４において例えば或る監視制御状態で各操作窓１９が図４（ａ）に示すように発光（白部分が発光）していたものとした場合に、監視制御対象設備２に異常が発生すると、異常が発生する前の発光状態（図４（ａ）と同じ発光状態）と、全ての状態表示ＬＥＤ２０を点灯させた状態とを時間的に交互に生成するようにしてもよい。
【００６４】
さらに図６に示すように、副監視制御装置４において例えば或る監視制御状態で各操作窓１９が図６（ａ）に示すように発光（白部分が発光）していたものとした場合に、監視制御対象設備２に異常が発生すると、図６（ｂ）〜（ｅ）に示すように、副監視制御装置４に備えられている複数の操作窓１９を縦横２分割して４つのブロックに分け、対角に位置するブロックに属する操作窓１９の各状態表示ＬＥＤ２０を１組として、各組で点灯状態と消灯状態とを異ならせ、且つ時間的に交互に点灯／消灯させた状態を生成するようにしてもよい。なお、図６においては、このような構成を採用すべく、操作窓１９を４行×６列のマトリックス状に配置したものを図示している。
【００６５】
また、これらの他に、操作窓１９が比較的多数設けられている場合には複数の状態表示ＬＥＤ２０の発光により例えば「ＥＲＲＯＲ」の文字を構成して点滅表示させるようにしてもよい。
【００６６】
また、状態表示ＬＥＤ２０の発光に代えて、窓名称表示ＬＣＤ２１を前述した各パターンで発光させるようにしてもよい。
【００６７】
（６）監視制御対象設備２に何らかの異常が発生したときに、第１の実施形態や前述の（５）のように視覚的にその旨を人間に報知する形態に限らず、例えば１秒間隔等で出力されるブザー音や、ブザー音を音量変更して出力するなど所定の警告音を出力して聴覚的に人間に報知するようにしてもよいし、視覚的に報知する形態と聴覚的に報知する形態とを組み合わせてもよい。すなわち、前述のように状態表示ＬＥＤ２０の発光による警告表示と警告音の出力とを同時に行うようにしてもよいし、窓名称表示ＬＣＤ２１による警告表示と警告音の出力とを同時に行うようにしてもよい。また、状態表示ＬＥＤ２０の発光による警告表示と窓名称表示ＬＣＤ２１による警告表示とを同時に行うようにしてもよいし、状態表示ＬＥＤ２０の発光による警告表示と窓名称表示ＬＣＤ２１による警告表示と警告音の出力とを同時に行うようにしてもよい。
【００６８】
また、操作窓１９が操作されたときにも、所定の操作音（例えば短い電子音）を出力するようにするとよい。このような警告音や操作音を出力するように構成する場合には、それらの出力制御を行う音声出力制御部（図示せず）を制御部１２に備えるとよい。そして、この音声出力制御部により、警告音の出力周期を変えてもよい。
【図面の簡単な説明】
【００６９】
【図１】本発明に係る副監視制御装置を備えた監視制御システムの構成を示す図である。
【図２】主監視制御装置の構成を示すブロック図である。
【図３】副監視制御装置の構成を示すブロック図である
【図４】監視制御対象設備に異常が発生したときの副監視制御装置の操作窓の表示態様を示す図である。
【図５】（ａ）は、監視制御対象設備、主監視制御装置及び副監視制御装置との間で行われる通信のシーケンスを示す図、（ｂ）は、副監視制御装置による通信処理のシーケンスを示す図、（ｃ），（ｄ）は、その通信により授受される信号のフォーマットを示す図である。
【図６】監視制御対象設備に異常が発生したときの副監視制御装置の操作窓の他の表示態様を示す図である。
【図７】従来の監視制御システムの構成を示す図である。
【符号の説明】
【００７０】
１      監視制御システム
２      監視制御対象設備
３      主監視制御装置
４      副監視制御装置
１２    制御部
１３    通信Ｉ／Ｆ部
１４    表示装置
１９    操作窓
２０    状態表示ＬＥＤ
２１    窓名称表示ＬＣＤ
１５    状態監視／動作制御部
２３    ポイントデータ記憶部
２５    副監視制御装置データ記憶部
【図１】
2005159909.tif 000003
【図２】
2005159909.tif 000004
【図３】
2005159909.tif 000005
【図４】
2005159909.tif 000006
【図５】
2005159909.tif 000007
【図６】
2005159909.tif 000008
【図７】
2005159909.tif 000009